(57)【要約】【課題】被締め付け物品の締め付けに用いる締め付け紐において、締め付けに要する力を軽減できるようにする【解決手段】締め付け紐２２は、靴２０、衣服、鞄を含む被締め付け物品に用いられる。締め付け紐２２は、少なくとも一本の第１線材５０ａを含む芯線５０と、芯線５０の外周部５０ｂに芯線５０の軸線方向Ａと交差するように設けられ、外周部５０ｂよりも突出する少なくとも１つの突起部５２と、を備える。【選択図】図２
2014166193.tif 000002
【特許請求の範囲】
【請求項１】
靴、衣服、鞄を含む被締め付け物品に用いられる締め付け紐であって、
少なくとも１本の第１線材を含む芯線と、
前記芯線の外周部に前記芯線の軸線方向と交差するように設けられ、前記外周部よりも突出する少なくとも１つの突起部と、
を備える締め付け紐。
【請求項２】
前記芯線は複数の前記第１線材をより合せて形成される、請求項１に記載の締め付け紐。 
【請求項３】
前記突起部は、合成樹脂製の第２線材を前記芯線に螺旋状に巻き付けて形成される、請求項１又は２に記載の締め付け紐。
【請求項４】
前記合成樹脂は、ＰＦＡ（テトラフルオロエチレン・パーフルオロアルキルビニルエーテル共重合体）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれる、請求項３に記載の締め付け紐。
【請求項５】
前記第１線材は、鋼線である、請求項１から４のいずれか１項に記載の締め付け紐。
【請求項６】
前記第１線材は、ステンレス鋼線である、請求項５に記載の締め付け紐。
【請求項７】
前記芯線の外周部には、プライマー層が形成される、請求項５又は６に記載の締め付け紐。
【請求項８】
前記第１線材は、合成樹脂製である、請求項１から４のいずれか１項に記載の締め付け紐。
【請求項９】
請求項１から８のいずれか１項に記載の締め付け紐と、
前記締め付け紐を案内する複数のガイド部を有する靴本体と、
回転操作部を有し、前記回転操作部を回転させて前記締め付け紐を巻き取ることによって、前記靴本体を前記締め付け紐によって締め付けるための巻き取り体と、
を備える靴。
【請求項１０】
前記巻き取り体は、前記締め付け紐による締め付けを解除可能である、請求項９に記載の靴。
【発明の詳細な説明】
【技術分野】
【０００１】
本発明は、靴、衣服、鞄を含む日用品に用いられる締め付け紐、及び締め付け紐を用いた靴に関する。
【背景技術】
【０００２】
靴、衣服、鞄を含む日用品には、締め付け用の紐が用いられる。例えば、スケート用の靴において、巻き取り体によって巻き取られる締め付け紐が従来知られている（例えば特許文献１参照）。また、スポーツ用靴において、巻き取り体に巻き取られる締め付け紐が従来知られている（特許文献２参照）。従来の締め付け紐は、靴本体のガイド部（例えばはと目など）に案内される。締め付け紐は、巻き取り体に両端が係合し、巻き取り体を巻き取り方向に操作することによって、靴本体を締め付ける。また、巻き取り体を軸方向に引っ張ると締め付けが解除され、靴を脱ぐことができる。
【先行技術文献】
【特許文献】
【０００３】
【特許文献１】特開２０１０−１４８９２７号公報
【特許文献２】米国特許出願公開第２０１１／０２６６３８４号明細書
【発明の概要】
【発明が解決しようとする課題】
【０００４】
従来の締め付け紐では、靴を履いて締め付け紐を締め付け操作するとき、ガイド部に対する滑りが悪い場合、回転操作部を回すのに大きな力を要する。また、手で締め付け紐を締め付ける場合にも、締め付けるために大きな力を要する。
【０００５】
本発明の課題は、被締め付け物品の締め付けに用いる締め付け紐において、締め付けに要する力を軽減できるようにすることにある。
【課題を解決するための手段】
【０００６】
発明１に係る締め付け紐は、靴、衣服、鞄を含む被締め付け物品に用いられる締め付け紐である。締め付け紐は、少なくとも１本の第１線材を含む芯線と、芯線の外周部に芯線の軸線方向と交差するように設けられ、外周部よりも突出する少なくとも１つの突起部と、を備える。
【０００７】
この締め付け紐では、例えば、靴に締め付け紐を締め付けるとき、締め付け紐を案内するガイド部（例えば、靴のはと目など）に突起部が接触する。これにより、ガイド部と締め付け紐との接触面積が小さくなり、被締め付け物品の締め付けに要する力を軽減できる。
【０００８】
発明２に係る締め付け紐は、発明１に記載の締め付け紐において、芯線は複数の第１線材をより合せて形成される。この場合には、芯線が複数の線材をより合わせて形成されるので、芯線の強度が向上する。
【０００９】
発明３に係る締め付け紐は、発明１又は２に記載の締め付け紐において、複数の突起部は、合成樹脂製の第２線材を芯線に螺旋状に巻き付けて形成される。この場合には、合成樹脂製の第１線材を芯線に螺旋状に巻き付けるだけで、軸線方向と交差する方向に複数の突起部を形成できるので、複数の突起部の形成が容易である。
【００１０】
発明４に係る締め付け紐は、発明３に記載の締め付け紐において、合成樹脂は、ＰＦＡ（テトラフルオロエチレン・パーフルオロアルキルビニルエーテル共重合体）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれる。この場合には、摺動性能が高い合成樹脂によって突起部が構成されるので、被締め付け物品を締め付ける力をさらに軽減できる。
【００１１】
発明５に係る締め付け紐は、発明１から４のいずれかに記載の締め付け紐において、第１線材は、鋼線である。この場合には、芯線の強度を向上できる。
【００１２】
発明６に係る締め付け紐は、発明５に記載の締め付け紐において、第１線材は、ステンレス鋼線である。この場合には、芯線の耐食性が向上する。
【００１３】
発明７に係る締め付け紐は、発明５又は６に記載の締め付け紐において、芯線の外周部には、プライマー層が形成される。この場合には、鋼線製の芯線がプライマー層を介して突起部と結合されるため、芯線と突起部の密着性が向上する。
【００１４】
発明８に係る締め付け紐は、発明１から４のいずれかに記載の締め付け紐において、第１線材は、合成樹脂製である。この場合には、芯線を構成する第１線材も合成樹脂製であるので、締め付け紐の軽量化を図ることができる。
【００１５】
発明９に係る靴は、発明１から８のいずれかに記載の締め付け紐と、靴本体と、巻き取り体と、を備える。靴本体は、締め付け紐を案内する複数のガイド部を有する。巻き取り体は、回転操作部を有し、回転操作部を回転させて締め付け紐を巻き取ることによって靴本体を締め付け紐によって締め付けるためのものである。
【００１６】
この靴では、軸線方向の交差する方向に突出する突起部を有する締め付け紐を、巻き取り体によって巻き取ることにより、靴本体が締め付けられる。このとき、突起部を設けてガイド部への接触面積を小さくした締め付け紐を用いるので、靴本体を締め付ける力を軽減できる。
【００１７】
発明１０に係る靴は、発明９に記載の靴において、巻き取り体は、締め付けを解除する締め付け解除機構を有する。この場合には、靴を脱ぐときに締め付け紐による締め付けを解除できるので、靴を簡単に脱ぐことができる。
【発明の効果】
【００１８】
本発明によれば、ガイド部と締め付け紐との接触面積が小さくなり、被締め付け物品の締め付けに要する力を軽減できる。
【図面の簡単な説明】
【００１９】
【図１】本発明の第１実施形態に係る被締め付け物品としての靴の斜視図。
【図２】本発明の第１実施形態に係る締め付け紐の平面図。
【図３】締め付け紐の斜視拡大図。
【図４】締め付け紐の側面拡大図
【図５】図３の切断線Ｖ−Ｖによる締め付け紐の断面図。
【図６】図４の切断線VI−VIによる第２線材の断面図。
【図７】締め付け紐の第２実施形態の図３に相当する図。
【図８】他の実施形態の第２線材の変形例の図６に相当する断面図。
【図９】さらに他の実施形態の第２線材の図６に相当する断面図。
【図１０】さらに他の実施形態の図６に相当する断面図。
【図１１】さらに他の実施形態の図６に相当する断面図。
【図１２】さらに他の実施形態の衣服としてレインパンツに適用した斜視図。
【図１３】さらに他の実施形態の衣服としてのベストの正面図。
【図１４】そのベストの側面部分図。
【図１５】さらに他の実施形態の鞄としてのナップザックの斜視図。
【発明を実施するための形態】
【００２０】
図１において、本発明の一実施形態に係る靴２０は、ビンディングを有するペダルと共に使用するための図示しないクリートを固定可能な自転車用の靴である。靴２０は、本発明の一実施形態に係る締め付け紐２２と、靴本体２４と、靴本体２４を締め付け紐２２によって締め付けるための巻き取り体２６と、を備える。また、靴本体２４は、靴底部３０と、靴底部３０を覆うアッパー部３２と、を有する。アッパー部３２は、長手方向に延びる舌状部３４、及び舌状部３４を部分的に覆う左右一対のフラップ３６ａ，３６ｂを有する。なお、ここでの左右は、靴を後方から見たときに左側にあるもの左といい右側にあるものを右という。また、靴本体２４は、左側（図１奥側）のフラップ３６ａに設けられた２つの第１ガイド部３８ａと、右側のフラップ３６ｂに設けられた一つの第２ガイド部３８ｂと、を有する。２つの第１ガイド部３８ａは、舌状部３４の長手方向に沿って間隔を隔てて配置される。第１ガイド部３８ａ及び第２ガイド部３８ｂは、締め付け紐２２を舌状部３４の長手方向に沿ってそれぞれ案内する。
【００２１】
巻き取り体２６は、右側のフラップ３６ｂに第２ガイド部３８ｂと舌状部３４の長手方向に沿って並べて配置される。巻き取り体２６には、締め付け紐２２の両端が取り付けられる。巻き取り体２６は、回転操作部２６ａを有する。回転操作部２６ａを例えば図１時計回りに回転させて締め付け紐２２を巻き取ることによって、靴本体２４の一対のフラップ３６ａ，３６ｂを近づく方向に移動させる。これにより靴本体２４を締め付ける。巻き取り体２６は、図示しない紐巻き取り部と、紐巻き取り部の巻き上げ解除方向に回転を禁止するワンウェイクラッチと、ワンウェイクラッチの作動を解除する解除機構と、を備える。解除機構は、回転操作部２６ａを回転中心軸に関する軸方向上側に引っ張ることによりワンウェイクラッチの作動を解除する。これにより、締め付け紐２２による締め付けが解除される。巻き取り体２６の近くには、締め付け紐２２を巻き取り体２６にスムーズに案内するための円弧状に湾曲した第３ガイド部４０が設けられる。
【００２２】
舌状部１２ａには、締め付け紐２０を交差するように案内する交差ガイド部４２と、交差ガイド部４２よりも先端側に配置された引き上げガイド部４４と、が設けられる。引き上げガイド部４４は、巻き取り体２６よりも舌状部３４の先端側に配置される。引き上げガイド部４４は、締め付け紐２２を締め付けることによって舌状部３４の先端側を引き上げる。これにより、舌状部３４がたるまなくなる。これらの第１ガイド部３８ａ、第２ガイド部３８ｂ、第３ガイド部４０、交差ガイド部４２、引き上げガイド部４４は、それぞれ摺動性及び耐摩耗性が高い硬質の合成樹脂製であることが好ましい。
【００２３】
図２から図５に示すように、締め付け紐２２は、基本的に、少なくとも一本の第１線材５０ａを含む芯線５０と、少なくとも一つの突起部５２と、を有する。この実施形態では、芯線５０は、複数本（例えば、１９本）の第１線材５０ａをより合わせて形成される。
【００２４】
第１線材５０ａは、例えば鋼線であり、より好ましくは、ステンレス鋼線である。第１線材５０ａの数は、適用される被締め付け物品に応じて適宜に設定される。好ましくは、芯線５０は、複数の第１線材５０ａをより合せて形成される。この実施形態では、複数の第１線材５０ａは、図５に示すように、１本の中心線材５１ａと、複数本（例えば６本）の中間線材５１ｂと、複数本（例えば１２本）の外側線材５１ｃと、を含む。複数の中間線材５１ｂは、中心線材５１ａにより合わされる。中間線材５１ｂは、より合わせた後に適宜の引き抜き工具によって外周部が円弧状に加工される。複数の外側線材５１ｃは、複数の中間線材５１ｂにより合わされる。複数の外側線材５１ｃは、より合わせた後に適宜の引き抜き工具によって外周部が円弧状に加工される。外側線材５１ｃによって芯線５０の外周部５０ｂが決定される。
【００２５】
突起部５２は、第１ガイド部３８ａ、第２ガイド部３８ｂ、第３ガイド部４０、交差ガイド部４２及び引き上げガイド部４４に対して、締め付け紐２２を滑りやすくするために設けられる。突起部５２は、芯線５０の外周部５０ｂに芯線５０の軸線方向Ａと交差するように設けられる。突起部５２は、芯線５０の外周部５０ｂよりも径方向外側に突出する。突起部５２は、この実施形態では、図６に示すように断面が円形である。図４に示すように、突起部５２は、１本の合成樹脂製の第２線材５２ａを螺旋状に芯線５０に巻き付けて形成される。突起部５２は、芯線５０に、例えば、常温接着或いは加熱溶着等の手法によって取り付けられる。これにより、突起部５２と芯線５０とは、相対移動しなくなる。このように少なくとも１本の第２線材５２ａを芯線５０に螺旋状に巻き付けることによって、二次元的に見て軸線方向Ａと交差するように突起部５２が設けられる。
【００２６】
第１ガイド部３８ａ、第２ガイド部３８ｂ、第３ガイド部４０、交差ガイド部４２及び引き上げガイド部４４に対する摺動抵抗を減少させるために、突起部５２に用いる素材は、芯線５０よりも摩擦係数が低い材ものが好ましい。この実施形態では、突起部５２は、合成樹脂製である。合成樹脂は、ＰＦＡ（テトラフルオロエチレン・パーフルオロアルキルビニルエーテル共重合体９）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれることが好ましい。突起部５２のピッチＰ１は、１ｍｍ以下であり、好ましくは、ピッチＰ１は、５００μｍ以下であり、より好ましくは、１５０μｍ以下である。
【００２７】
好ましくは、締め付け紐２２の両端には、キャップ部材５４が、例えばかしめ固定などの塑性変形による固定方法によって固定される。締め付け紐２２は、第１ガイド部３８ａ、第２ガイド部３８ｂ、第３ガイド部４０、交差ガイド部４２及び引き上げガイド部４４を網目状に通される。締め付け紐２２の両端は、巻き取り体２６の紐巻き取り部に固定される。
【００２８】
このような構成の締め付け紐２２では、巻き取り体２６の回転操作部２６ａを軸方向上側に引っ張って締め付け紐２２による締め付けを解除した状態で足を靴本体２４に入れる。足を靴本体２４に入れると、巻き取り体２６の回転操作部２６ａを下側に押圧してワンウェイクラッチを作動状態にする。そして、回転操作部２６ａを時計回りに回転させると、締め付け紐２２の両端部が紐巻き取り部に巻き取られ、靴本体２４の一対のフラップ３６ａ，３６ｂが互いに接近し、靴本体２４が締め付け紐２２によって足に締め付けられる。このとき、締め付け紐２２に軸線方向Ａと交差する突起部５２が設けられるので、締め付け紐２２が、第１ガイド部３８ａ、第２ガイド部３８ｂ、第３ガイド部４０、交差ガイド部４２及び引き上げガイド部４４などのガイド部を円滑に摺動する。このため、回転操作部２６ａを回転させる締め付け操作に要する力を軽減できるようになる。
【００２９】
＜第２実施形態＞
第２実施形態では、図７に示すように、締め付け紐１２２の芯線１５０の外周部１５０ｂがプライマー層１５３によって被覆されている。プライマー層１５３を介して突起部１５２が芯線１５０に巻き付けられる。プライマー層１５３は、芯線１５０と突起部１５２との密着性を向上させて突起部１５２の接着を強固にするために設けられる。
【００３０】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３１】
（ａ）上記実施形態では、巻き取り体によって締め付け紐を締め付けているが、本発明はこれに限定されない。手で締め付けられる締め付け紐にも本発明を適用できる。
【００３２】
（ｂ）上記２つの実施形態では、突起部を構成する第２線材の断面形状が円形であったが、第２線材の断面形状は、円形に限定されず、楕円、多角形等の非円形でもよい。例えば、図８では、突起部２５２の第２線材２５２ａの断面は三角形である。図９では、突起部３５２の第２線材３５２ａの第２線材２５２ａの断面は四角形である。図１０では、突起部４５２の第２線材４５２ａの断面は六角形である。図１１では、突起部５５２の第２線材４５２ａの断面は星形である。上記のような非円形の断面には、上記２つの実施形態と異なり角部２５２ｂ，３５２ｂ，４５２ｂ，５５２ｂが形成される。この角部２５２ｂ，３５２ｂ，４５２ｂ，５５２ｂによって第１ガイド部３８ａ、第２ガイド部３８ｂ、第３ガイド部４０、交差ガイド部４２及び引き上げガイド部４４に接触する面積がさらに小さくなる。このため、被締め付け物品の締め付け操作に要する力をさらに軽減できる。更には、芯線と同様に、複数の第２線材をより合せることによって突起部を構成してもよい。
【００３３】
（ｃ）上記実施形態では、被締め付け物品として自転車用の靴を例示したが、漕艇用の靴、或いは、その他スポーツ用靴や、日常に使用される履物でも本発明を適用できる。更には、締め付け物品としては、例えば、図１２から図１４に示す衣服及び図１５に示す鞄を含む締め付け紐２２によって締め付けられる全ての被締め付け物品に本発明を適用できる。図１２において、衣服としてのレインパンツ６２０は、ウェスト部分の両側部にそれぞれ巻き取り体６２６が設けられている。それぞれの巻き取り体６２６によってウェスト部分を締め付け可能である。両側部には、図示しない締め付け紐が矩形ループ状に配置され、締め付け紐の両端がそれぞれの巻き取り体６２６によって巻き取られる。これにより、着用者のウェストのサイズに応じて両側部のサイズを調整できる。
【００３４】
図１３及び図１４において、衣服としてのベスト７２０は、両側部にそれぞれ巻き取り体７２６が受けられる。巻き取り体７２６には、締め付け紐７２２が両側部を矩形ループ状に設けられ、締め付け紐７２２の両端がそれぞれの巻き取り体７２６によって巻き取られ、ベスト７２０の両側部を締め付け可能である。これにより、ベストの両側部のサイズを着用者のサイズに応じて調整できる。
【００３５】
図１５において、鞄としてのバックパック８２０において、背部分８２０ａの下部に巻き取り体８２６が設けられる。背部分８２０ａの両側部には、締め付け紐８２２を案内する、それぞれ複数（例えば３つ）のガイド部８２０ｂが上下に間隔を隔てて並べて配置される。締め付け紐８２２は、ガイド部８２０ｂに通して網目状に構成される。締め付け紐８２２の両端が巻き取り体８２６に巻き取られる。ここでは、締め付け紐８２２によって背部分８２０ａを締め付けることによって締め付け紐８２２を用いてバックパック８２０に、ボトルなどの種々のギアを装着できる。
【００３６】
（ｄ）上記実施形態では、第１線材として金属製の鋼線又はステンレス鋼線を例示したが、第１線材は合成樹脂製であってもよい。
【００３７】
（ｅ）上記実施形態では、被締め付け物品として靴、衣服、鞄を例に本発明を説明したが、本発明に係る締め付け紐が適用される被締め付け物品は、上記に限定されない。例えば、文房具、机・棚・椅子などの家具、及び自転車及びモータサイクルの荷台などにも適用できる。
【００３８】
（ｆ）上記実施形態では、突起部を一本の第２線材を螺旋状に巻き付けて形成したが、複数本の第２線材を巻き付けてもよい。この場合、複数の第２線材の大きさ（例えば直径）を異ならせてもよい。
【００３９】
（ｇ）上記実施携帯では、突起部を合成樹脂製の第２線材で構成したが、第２線材は金属製であってもよい。
【符号の説明】
【００４０】
２０    靴
２２，１２２，７２２，８２２    締め付け紐
２４    靴本体
２６，６２６，７２６，８２６    巻き取り体
３８ａ  第１ガイド部
３８ｂ  第２ガイド部
４０    第３ガイド部
４２    交差ガイド部
４４    引き上げガイド部
５０，１５０    芯線
５０ａ  第１線材
５０ｂ，１５０ｂ  外周部
５２，１５２，２５２，３５２，４５２，５５２    突起部
５２ａ，１５２ａ，２５２ａ，３５２ａ，４５２ａ，５５２ａ  第２線材
１５３    ブライマー層
６２０    レインパンツ
７２０    ベスト
８２０    バックパック
８２０ｂ  ガイド部
【図１】
2014166193.tif 000003
【図２】
2014166193.tif 000004
【図３】
2014166193.tif 000005
【図４】
2014166193.tif 000006
【図５】
2014166193.tif 000007
【図６】
2014166193.tif 000008
【図７】
2014166193.tif 000009
【図８】
2014166193.tif 000010
【図９】
2014166193.tif 000011
【図１０】
2014166193.tif 000012
【図１１】
2014166193.tif 000013
【図１２】
2014166193.tif 000014
【図１３】
2014166193.tif 000015
【図１４】
2014166193.tif 000016
【図１５】
2014166193.tif 000017
【手続補正書】
【提出日】平成26年4月3日(2014.4.3)
【手続補正１】
【補正対象書類名】特許請求の範囲
【補正対象項目名】全文
【補正方法】変更
【補正の内容】
【特許請求の範囲】
【請求項１】
靴、衣服、鞄を含む被締め付け物品のガイド部に案内される締め付け紐であって、
少なくとも１本の第１線材を含む芯線と、
前記芯線の外周部に前記芯線の軸線方向と交差するように設けられ、前記外周部よりも突出し、前記ガイド部との摺動抵抗を減少させるための少なくとも１つの突起部と、
を備える締め付け紐。
【請求項２】
靴、衣服、鞄を含む被締め付け物品に用いられる締め付け紐であって、
複数の第１線材をより合わせて形成される芯線と、
前記芯線の外周部に前記芯線の軸線方向と交差するように設けられ、前記外周部よりも突出する少なくとも１つの突起部と、
を備える締め付け紐。
【請求項３】
靴、衣服、鞄を含む被締め付け物品に用いられる締め付け紐であって、
少なくとも１本の第１線材を含む芯線と、
前記芯線の外周部に前記芯線の軸線方向と交差するように設けられ、前記外周部よりも突出する少なくとも１つの突起部と、
を備え、
前記第１線材は鋼線である、締め付け紐。
【請求項４】
前記突起部は、合成樹脂製の第２線材を前記芯線に螺旋状に巻き付けて形成される、請求項１から３のいずれか１項に記載の締め付け紐。
【請求項５】
前記合成樹脂は、ＰＦＡ（テトラフルオロエチレン・パーフルオロアルキルビニルエーテル共重合体）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれる、請求項４に記載の締め付け紐。
【請求項６】
前記第１線材は、鋼線である、請求項１、２、４および５のいずれか１項に記載の締め付け紐。
【請求項７】
前記第１線材は、ステンレス鋼線である、請求項６に記載の締め付け紐。
【請求項８】
前記芯線の外周部には、プライマー層が形成される、請求項６又は７に記載の締め付け紐。
【請求項９】
前記第１線材は、合成樹脂製である、請求項１、２、４および５のいずれか１項に記載の締め付け紐。
【請求項１０】
請求項１から９のいずれか１項に記載の締め付け紐と、
前記締め付け紐を案内する複数のガイド部を有する靴本体と、
回転操作部を有し、前記回転操作部を回転させて前記締め付け紐を巻き取ることによって、前記靴本体を前記締め付け紐によって締め付けるための巻き取り体と、
を備える靴。
【請求項１１】
前記巻き取り体は、前記締め付け紐による締め付けを解除可能である、請求項１０に記載の靴。
【手続補正２】
【補正対象書類名】明細書
【補正対象項目名】全文
【補正方法】変更
【補正の内容】
【発明の詳細な説明】
【技術分野】
【０００１】
本発明は、靴、衣服、鞄を含む日用品に用いられる締め付け紐、及び締め付け紐を用いた靴に関する。
【背景技術】
【０００２】
靴、衣服、鞄を含む日用品には、締め付け用の紐が用いられる。例えば、スケート用の靴において、巻き取り体によって巻き取られる締め付け紐が従来知られている（例えば特許文献１参照）。また、スポーツ用靴において、巻き取り体に巻き取られる締め付け紐が従来知られている（特許文献２参照）。従来の締め付け紐は、靴本体のガイド部（例えばはと目など）に案内される。締め付け紐は、巻き取り体に両端が係合し、巻き取り体を巻き取り方向に操作することによって、靴本体を締め付ける。また、巻き取り体を軸方向に引っ張ると締め付けが解除され、靴を脱ぐことができる。
【先行技術文献】
【特許文献】
【０００３】
【特許文献１】特開２０１０−１４８９２７号公報
【特許文献２】米国特許出願公開第２０１１／０２６６３８４号明細書
【発明の概要】
【発明が解決しようとする課題】
【０００４】
従来の締め付け紐では、靴を履いて締め付け紐を締め付け操作するとき、ガイド部に対する滑りが悪い場合、回転操作部を回すのに大きな力を要する。また、手で締め付け紐を締め付ける場合にも、締め付けるために大きな力を要する。
【０００５】
本発明の課題は、被締め付け物品の締め付けに用いる締め付け紐において、締め付けに要する力を軽減できるようにすることにある。
【課題を解決するための手段】
【０００６】
発明１に係る締め付け紐は、靴、衣服、鞄を含む被締め付け物品のガイド部に案内される締め付け紐である。締め付け紐は、少なくとも１本の第１線材を含む芯線と、芯線の外周部に芯線の軸線方向と交差するように設けられ、外周部よりも突出し、ガイド部との摺動抵抗を減少させるための少なくとも１つの突起部と、を備える。
【０００７】
発明２に係る締め付け紐は、靴、衣服、鞄を含む被締め付け物品に用いられる締め付け紐である。締め付け紐は、複数の第１線材をより合わせて形成される芯線と、芯線の外周部に芯線の軸線方向と交差するように設けられ、外周部よりも突出する少なくとも１つの突起部と、を備える。
【０００８】
この締め付け紐では、例えば、靴に締め付け紐を締め付けるとき、締め付け紐を案内するガイド部（例えば、靴のはと目など）に突起部が接触する。これにより、ガイド部と締め付け紐との接触面積が小さくなり、被締め付け物品の締め付けに要する力を軽減できる。また、芯線が複数の線材をより合わせて形成されるので、芯線の強度が向上する。
【０００９】
発明３に係る締め付け紐は、靴、衣服、鞄を含む被締め付け物品に用いられる締め付け紐である。締め付け紐は、締め付け紐は、少なくとも１本の第１線材を含む芯線と、芯線の外周部に芯線の軸線方向と交差するように設けられ、外周部よりも突出する少なくとも１つの突起部と、を備え、第１線材は鋼線である。
【００１０】
この締め付け紐では、例えば、靴に締め付け紐を締め付けるとき、締め付け紐を案内するガイド部（例えば、靴のはと目など）に突起部が接触する。これにより、ガイド部と締め付け紐との接触面積が小さくなり、被締め付け物品の締め付けに要する力を軽減できる。また、芯線の強度を向上できる。
【００１１】
発明４に係る締め付け紐は、発明１から４のいずれかに記載の締め付け紐において、複数の突起部は、合成樹脂製の第２線材を芯線に螺旋状に巻き付けて形成される。この場合には、合成樹脂製の第１線材を芯線に螺旋状に巻き付けるだけで、軸線方向と交差する方向に複数の突起部を形成できるので、複数の突起部の形成が容易である。
【００１２】
発明５に係る締め付け紐は、発明４に記載の締め付け紐において、合成樹脂は、ＰＦＡ（テトラフルオロエチレン・パーフルオロアルキルビニルエーテル共重合体）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれる。この場合には、摺動性能が高い合成樹脂によって突起部が構成されるので、被締め付け物品を締め付ける力をさらに軽減できる。
【００１３】
発明６に係る締め付け紐は、発明１、２，４および５のいずれかに記載の締め付け紐において、第１線材は、鋼線である。この場合には、芯線の強度を向上できる。
【００１４】
発明７に係る締め付け紐は、発明６に記載の締め付け紐において、第１線材は、ステンレス鋼線である。この場合には、芯線の耐食性が向上する。
【００１５】
発明８に係る締め付け紐は、発明６又は７に記載の締め付け紐において、芯線の外周部には、プライマー層が形成される。この場合には、鋼線製の芯線がプライマー層を介して突起部と結合されるため、芯線と突起部の密着性が向上する。
【００１６】
発明９に係る締め付け紐は、発明１、２，４および５のいずれかに記載の締め付け紐において、第１線材は、合成樹脂製である。この場合には、芯線を構成する第１線材も合成樹脂製であるので、締め付け紐の軽量化を図ることができる。
【００１７】
発明１０に係る靴は、発明１から９のいずれかに記載の締め付け紐と、靴本体と、巻き取り体と、を備える。靴本体は、締め付け紐を案内する複数のガイド部を有する。巻き取り体は、回転操作部を有し、回転操作部を回転させて締め付け紐を巻き取ることによって靴本体を締め付け紐によって締め付けるためのものである。
【００１８】
この靴では、軸線方向の交差する方向に突出する突起部を有する締め付け紐を、巻き取り体によって巻き取ることにより、靴本体が締め付けられる。このとき、突起部を設けてガイド部への接触面積を小さくした締め付け紐を用いるので、靴本体を締め付ける力を軽減できる。
【００１９】
発明１１に係る靴は、発明１０に記載の靴において、巻き取り体は、締め付けを解除する締め付け解除機構を有する。この場合には、靴を脱ぐときに締め付け紐による締め付けを解除できるので、靴を簡単に脱ぐことができる。
【発明の効果】
【００２０】
本発明によれば、ガイド部と締め付け紐との接触面積が小さくなり、被締め付け物品の締め付けに要する力を軽減できる。
【図面の簡単な説明】
【００２１】
【図１】本発明の第１実施形態に係る被締め付け物品としての靴の斜視図。
【図２】本発明の第１実施形態に係る締め付け紐の平面図。
【図３】締め付け紐の斜視拡大図。
【図４】締め付け紐の側面拡大図
【図５】図３の切断線Ｖ−Ｖによる締め付け紐の断面図。
【図６】図４の切断線VI−VIによる第２線材の断面図。
【図７】締め付け紐の第２実施形態の図３に相当する図。
【図８】他の実施形態の第２線材の変形例の図６に相当する断面図。
【図９】さらに他の実施形態の第２線材の図６に相当する断面図。
【図１０】さらに他の実施形態の図６に相当する断面図。
【図１１】さらに他の実施形態の図６に相当する断面図。
【図１２】さらに他の実施形態の衣服としてレインパンツに適用した斜視図。
【図１３】さらに他の実施形態の衣服としてのベストの正面図。
【図１４】そのベストの側面部分図。
【図１５】さらに他の実施形態の鞄としてのナップザックの斜視図。
【発明を実施するための形態】
【００２２】
図１において、本発明の一実施形態に係る靴２０は、ビンディングを有するペダルと共に使用するための図示しないクリートを固定可能な自転車用の靴である。靴２０は、本発明の一実施形態に係る締め付け紐２２と、靴本体２４と、靴本体２４を締め付け紐２２によって締め付けるための巻き取り体２６と、を備える。また、靴本体２４は、靴底部３０と、靴底部３０を覆うアッパー部３２と、を有する。アッパー部３２は、長手方向に延びる舌状部３４、及び舌状部３４を部分的に覆う左右一対のフラップ３６ａ，３６ｂを有する。なお、ここでの左右は、靴を後方から見たときに左側にあるもの左といい右側にあるものを右という。また、靴本体２４は、左側（図１奥側）のフラップ３６ａに設けられた２つの第１ガイド部３８ａと、右側のフラップ３６ｂに設けられた一つの第２ガイド部３８ｂと、を有する。２つの第１ガイド部３８ａは、舌状部３４の長手方向に沿って間隔を隔てて配置される。第１ガイド部３８ａ及び第２ガイド部３８ｂは、締め付け紐２２を舌状部３４の長手方向に沿ってそれぞれ案内する。
【００２３】
巻き取り体２６は、右側のフラップ３６ｂに第２ガイド部３８ｂと舌状部３４の長手方向に沿って並べて配置される。巻き取り体２６には、締め付け紐２２の両端が取り付けられる。巻き取り体２６は、回転操作部２６ａを有する。回転操作部２６ａを例えば図１時計回りに回転させて締め付け紐２２を巻き取ることによって、靴本体２４の一対のフラップ３６ａ，３６ｂを近づく方向に移動させる。これにより靴本体２４を締め付ける。巻き取り体２６は、図示しない紐巻き取り部と、紐巻き取り部の巻き上げ解除方向に回転を禁止するワンウェイクラッチと、ワンウェイクラッチの作動を解除する解除機構と、を備える。解除機構は、回転操作部２６ａを回転中心軸に関する軸方向上側に引っ張ることによりワンウェイクラッチの作動を解除する。これにより、締め付け紐２２による締め付けが解除される。巻き取り体２６の近くには、締め付け紐２２を巻き取り体２６にスムーズに案内するための円弧状に湾曲した第３ガイド部４０が設けられる。
【００２４】
舌状部１２ａには、締め付け紐２２を交差するように案内する交差ガイド部４２と、交差ガイド部４２よりも先端側に配置された引き上げガイド部４４と、が設けられる。引き上げガイド部４４は、巻き取り体２６よりも舌状部３４の先端側に配置される。引き上げガイド部４４は、締め付け紐２２を締め付けることによって舌状部３４の先端側を引き上げる。これにより、舌状部３４がたるまなくなる。これらの第１ガイド部３８ａ、第２ガイド部３８ｂ、第３ガイド部４０、交差ガイド部４２、引き上げガイド部４４は、それぞれ摺動性及び耐摩耗性が高い硬質の合成樹脂製であることが好ましい。
【００２５】
図２から図５に示すように、締め付け紐２２は、基本的に、少なくとも一本の第１線材５０ａを含む芯線５０と、少なくとも一つの突起部５２と、を有する。この実施形態では、芯線５０は、複数本（例えば、１９本）の第１線材５０ａをより合わせて形成される。
【００２６】
第１線材５０ａは、例えば鋼線であり、より好ましくは、ステンレス鋼線である。第１線材５０ａの数は、適用される被締め付け物品に応じて適宜に設定される。好ましくは、芯線５０は、複数の第１線材５０ａをより合せて形成される。この実施形態では、複数の第１線材５０ａは、図５に示すように、１本の中心線材５１ａと、複数本（例えば６本）の中間線材５１ｂと、複数本（例えば１２本）の外側線材５１ｃと、を含む。複数の中間線材５１ｂは、中心線材５１ａにより合わされる。中間線材５１ｂは、より合わせた後に適宜の引き抜き工具によって外周部が円弧状に加工される。複数の外側線材５１ｃは、複数の中間線材５１ｂにより合わされる。複数の外側線材５１ｃは、より合わせた後に適宜の引き抜き工具によって外周部が円弧状に加工される。外側線材５１ｃによって芯線５０の外周部５０ｂが決定される。
【００２７】
突起部５２は、第１ガイド部３８ａ、第２ガイド部３８ｂ、第３ガイド部４０、交差ガイド部４２及び引き上げガイド部４４に対して、締め付け紐２２を滑りやすくするために設けられる。突起部５２は、芯線５０の外周部５０ｂに芯線５０の軸線方向Ａと交差するように設けられる。突起部５２は、芯線５０の外周部５０ｂよりも径方向外側に突出する。突起部５２は、この実施形態では、図６に示すように断面が円形である。図４に示すように、突起部５２は、１本の合成樹脂製の第２線材５２ａを螺旋状に芯線５０に巻き付けて形成される。突起部５２は、芯線５０に、例えば、常温接着或いは加熱溶着等の手法によって取り付けられる。これにより、突起部５２と芯線５０とは、相対移動しなくなる。このように少なくとも１本の第２線材５２ａを芯線５０に螺旋状に巻き付けることによって、二次元的に見て軸線方向Ａと交差するように突起部５２が設けられる。
【００２８】
第１ガイド部３８ａ、第２ガイド部３８ｂ、第３ガイド部４０、交差ガイド部４２及び引き上げガイド部４４に対する摺動抵抗を減少させるために、突起部５２に用いる素材は、芯線５０よりも摩擦係数が低い材ものが好ましい。この実施形態では、突起部５２は、合成樹脂製である。合成樹脂は、ＰＦＡ（テトラフルオロエチレン・パーフルオロアルキルビニルエーテル共重合体９）、ＦＥＰ（テトラフルオロエチレン・ヘキサフルオロプロピレン共重合体）、ＰＴＦＥ（ポリテトラフルオロエチレン）、ＰＥ（ポリエチレン）、及びＰＯＭ（ポリアセタール）からなる群から選ばれることが好ましい。突起部５２のピッチＰ１は、１ｍｍ以下であり、好ましくは、ピッチＰ１は、５００μｍ以下であり、より好ましくは、１５０μｍ以下である。
【００２９】
好ましくは、締め付け紐２２の両端には、キャップ部材５４が、例えばかしめ固定などの塑性変形による固定方法によって固定される。締め付け紐２２は、第１ガイド部３８ａ、第２ガイド部３８ｂ、第３ガイド部４０、交差ガイド部４２及び引き上げガイド部４４を網目状に通される。締め付け紐２２の両端は、巻き取り体２６の紐巻き取り部に固定される。
【００３０】
このような構成の締め付け紐２２では、巻き取り体２６の回転操作部２６ａを軸方向上側に引っ張って締め付け紐２２による締め付けを解除した状態で足を靴本体２４に入れる。足を靴本体２４に入れると、巻き取り体２６の回転操作部２６ａを下側に押圧してワンウェイクラッチを作動状態にする。そして、回転操作部２６ａを時計回りに回転させると、締め付け紐２２の両端部が紐巻き取り部に巻き取られ、靴本体２４の一対のフラップ３６ａ，３６ｂが互いに接近し、靴本体２４が締め付け紐２２によって足に締め付けられる。このとき、締め付け紐２２に軸線方向Ａと交差する突起部５２が設けられるので、締め付け紐２２が、第１ガイド部３８ａ、第２ガイド部３８ｂ、第３ガイド部４０、交差ガイド部４２及び引き上げガイド部４４などのガイド部を円滑に摺動する。このため、回転操作部２６ａを回転させる締め付け操作に要する力を軽減できるようになる。
【００３１】
＜第２実施形態＞
第２実施形態では、図７に示すように、締め付け紐１２２の芯線１５０の外周部１５０ｂがプライマー層１５３によって被覆されている。プライマー層１５３を介して突起部１５２が芯線１５０に巻き付けられる。プライマー層１５３は、芯線１５０と突起部１５２との密着性を向上させて突起部１５２の接着を強固にするために設けられる。
【００３２】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００３３】
（ａ）上記実施形態では、巻き取り体によって締め付け紐を締め付けているが、本発明はこれに限定されない。手で締め付けられる締め付け紐にも本発明を適用できる。
【００３４】
（ｂ）上記２つの実施形態では、突起部を構成する第２線材の断面形状が円形であったが、第２線材の断面形状は、円形に限定されず、楕円、多角形等の非円形でもよい。例えば、図８では、突起部２５２の第２線材２５２ａの断面は三角形である。図９では、突起部３５２の第２線材３５２ａの第２線材２５２ａの断面は四角形である。図１０では、突起部４５２の第２線材４５２ａの断面は六角形である。図１１では、突起部５５２の第２線材４５２ａの断面は星形である。上記のような非円形の断面には、上記２つの実施形態と異なり角部２５２ｂ，３５２ｂ，４５２ｂ，５５２ｂが形成される。この角部２５２ｂ，３５２ｂ，４５２ｂ，５５２ｂによって第１ガイド部３８ａ、第２ガイド部３８ｂ、第３ガイド部４０、交差ガイド部４２及び引き上げガイド部４４に接触する面積がさらに小さくなる。このため、被締め付け物品の締め付け操作に要する力をさらに軽減できる。更には、芯線と同様に、複数の第２線材をより合せることによって突起部を構成してもよい。
【００３５】
（ｃ）上記実施形態では、被締め付け物品として自転車用の靴を例示したが、漕艇用の靴、或いは、その他スポーツ用靴や、日常に使用される履物でも本発明を適用できる。更には、締め付け物品としては、例えば、図１２から図１４に示す衣服及び図１５に示す鞄を含む締め付け紐２２によって締め付けられる全ての被締め付け物品に本発明を適用できる。図１２において、衣服としてのレインパンツ６２０は、ウェスト部分の両側部にそれぞれ巻き取り体６２６が設けられている。それぞれの巻き取り体６２６によってウェスト部分を締め付け可能である。両側部には、図示しない締め付け紐が矩形ループ状に配置され、締め付け紐の両端がそれぞれの巻き取り体６２６によって巻き取られる。これにより、着用者のウェストのサイズに応じて両側部のサイズを調整できる。
【００３６】
図１３及び図１４において、衣服としてのベスト７２０は、両側部にそれぞれ巻き取り体７２６が受けられる。巻き取り体７２６には、締め付け紐７２２が両側部を矩形ループ状に設けられ、締め付け紐７２２の両端がそれぞれの巻き取り体７２６によって巻き取られ、ベスト７２０の両側部を締め付け可能である。これにより、ベストの両側部のサイズを着用者のサイズに応じて調整できる。
【００３７】
図１５において、鞄としてのバックパック８２０において、背部分８２０ａの下部に巻き取り体８２６が設けられる。背部分８２０ａの両側部には、締め付け紐８２２を案内する、それぞれ複数（例えば３つ）のガイド部８２０ｂが上下に間隔を隔てて並べて配置される。締め付け紐８２２は、ガイド部８２０ｂに通して網目状に構成される。締め付け紐８２２の両端が巻き取り体８２６に巻き取られる。ここでは、締め付け紐８２２によって背部分８２０ａを締め付けることによって締め付け紐８２２を用いてバックパック８２０に、ボトルなどの種々のギアを装着できる。
【００３８】
（ｄ）上記実施形態では、第１線材として金属製の鋼線又はステンレス鋼線を例示したが、第１線材は合成樹脂製であってもよい。
【００３９】
（ｅ）上記実施形態では、被締め付け物品として靴、衣服、鞄を例に本発明を説明したが、本発明に係る締め付け紐が適用される被締め付け物品は、上記に限定されない。例えば、文房具、机・棚・椅子などの家具、及び自転車及びモータサイクルの荷台などにも適用できる。
【００４０】
（ｆ）上記実施形態では、突起部を一本の第２線材を螺旋状に巻き付けて形成したが、複数本の第２線材を巻き付けてもよい。この場合、複数の第２線材の大きさ（例えば直径）を異ならせてもよい。
【００４１】
（ｇ）上記実施携帯では、突起部を合成樹脂製の第２線材で構成したが、第２線材は金属製であってもよい。
【符号の説明】
【００４２】
２０    靴
２２，１２２，７２２，８２２    締め付け紐
２４    靴本体
２６，６２６，７２６，８２６    巻き取り体
３８ａ  第１ガイド部
３８ｂ  第２ガイド部
４０    第３ガイド部
４２    交差ガイド部
４４    引き上げガイド部
５０，１５０    芯線
５０ａ  第１線材
５０ｂ，１５０ｂ  外周部
５２，１５２，２５２，３５２，４５２，５５２    突起部
５２ａ，１５２ａ，２５２ａ，３５２ａ，４５２ａ，５５２ａ  第２線材
１５３    ブライマー層
６２０    レインパンツ
７２０    ベスト
８２０    バックパック
８２０ｂ  ガイド部